【事件の表示】
　特許第６３９２２９８号発明「消去部材を備えた筆記具」の特許異議申立事件について，次のとおり決定する。
【結　論】
　特許第６３９２２９８号の特許請求の範囲を訂正請求書に添付された訂正特許請求の範囲のとおり，訂正後の請求項１，２について訂正することを認める。
　特許第６３９２２９８号の請求項１及び２に係る特許を維持する。
【理　由】
第１　手続の経緯
　特許第６３９２２９８号に係る特許についての出願は，平成２４年５月３０日に出願された特願２０１２−１２３３２４号（優先権主張　平成２３年１２月９日）の一部を平成２８年１１月３０日に新たな特許出願したものであって，平成３０年８月３１日にその特許権の設定登録がされ，同年９月１９日に特許掲載公報が発行された。その後，平成３１年３月１９日に，特許異議申立人　森田弘潤（以下，単に「異議申立人」という。）より，特許第６３９２２９８号の請求項１及び２について，特許異議の申立てがされ，令和１年６月２１日付けで取消理由通知がされ，これに対して，同年８月１６日付けで特許権者より訂正請求書及び意見書が提出されたものである。
　なお，同月２２日付けで異議申立人に対して，期間を指定して，特許法第１２０条の５第５項の規定に基づく通知をするとともに訂正請求書等を送付したが，異議申立人からは，指定期間内に意見書の提出はなかった。
第２　訂正の適否
　１　訂正の内容
　令和１年８月１６日付け訂正請求書による訂正の請求（以下，「本件訂正請求」という。）は，その請求の趣旨を「特許第６３９２２９８号の特許請求の範囲を，訂正請求書に添付された訂正特許請求の範囲のとおり，訂正後の請求項１及び２について訂正することを求める。」とするものであり，その訂正事項はつぎのとおりのものである。
　（１）訂正事項１（下線は，訂正箇所を示すために当審において付加した。以下，この項において同じ。）
　訂正前の特許請求の範囲の請求項１の
「　消去部材を備えたキャップと，該キャップが嵌合する軸筒とを具備し，
　前記キャップの側面にクリップ部が接続部を介して一体的に設けられ，
　前記クリップ部が軸線方向に延びる略長方形の板状部材であり，
　消去動作時に紙面と当該筆記具の中心軸線とが成す角度Ａが４０〜８０度の範囲となるように，前記クリップ部の前端面にガイド面が形成されていることを特徴とする筆記具。」を
「　消去部材を備えたキャップと，該キャップが嵌合する軸筒とを具備し，
　前記キャップの側面にクリップ部が接続部を介して一体的に設けられ，
　前記クリップ部が軸線方向に延びる略長方形の板状部材であり，
　
前記クリップ部の幅と前記キャップの径とが略同一であり，前記クリップ部が当該筆記具の重心位置まで伸びており，
　消去動作時に紙面と当該筆記具の中心軸線とが成す角度Ａが４０〜８０度の範囲となるように，前記クリップ部の前端面に
平坦な
　
前記接続部がＴ字型の横断面形状を有し
　（２）訂正事項２
　訂正前の特許請求の範囲の請求項２の
「　消去部材を備えたキャップと，該キャップが嵌合する軸筒とを具備し，
　前記キャップの側面にクリップ部が接続部を介して一体的に設けられ，
　前記クリップ部が軸線方向に伸びる略長方形の板状部材であり，
　前記クリップ部の幅と前記キャップの径とが略同一であり，前記クリップ部が当該筆記具の重心位置まで伸びていることを特徴とする筆記具。」を
「　消去部材を備えたキャップと，該キャップが嵌合する軸筒とを具備し，
　前記キャップの側面にクリップ部が接続部を介して一体的に設けられ，
　前記クリップ部が軸線方向に伸びる略長方形の板状部材であり，
　前記クリップ部の幅と前記キャップの径とが略同一であり，前記クリップ部が当該筆記具の重心位置まで伸び
ており，
　
前記接続部がＴ字型の横断面形状を有し
　２　訂正の適否についての判断
　（１）訂正事項１について
　ア　訂正事項１は，訂正前の請求項１に係る発明の発明特定事項である「クリップ部」について，「クリップ部の幅」と「キャップの径」とが「略同一」であり「筆記具の重心位置まで伸びて」いるものに限定し，「クリップ部の前端面」に「形成された」「ガイド面」が，「平坦」であるものに限定し，「キャップの側面」と「クリップ部」の「接続部」の「横断面形状」を「Ｔ字型」であるものに限定するものであるから，当該訂正事項１は，特許請求の範囲の減縮を目的とするものに該当し，実質的に特許請求の範囲を拡張し，又は変更するものではない。
　イ　そして，本件特許の願書に添付した明細書の段落【００１０】に「接続部がＴ字型の横断面形状を有している」と記載され，同段落【００７２】に「キャップ本体１０４ａとクリップ部１０４ｂとを接続する接続部１０４ｃは，図３７に示されるように，Ｔ字型の横断面形状を有している。」と記載されていることから，訂正事項１における「キャップの側面」と「クリップ部」の「接続部」の「横断面形状」を「Ｔ字型」であるものに限定する訂正は，本件特許の願書に添付した明細書，特許請求の範囲又は図面（以下，それぞれを，「本件特許明細書」，「本件特許請求の範囲」，「本件特許図面」といい，これらを総称して「本件特許明細書等」という。）に記載した事項の範囲内でするものである。
　また，本件特許明細書の段落【００１３】に「前記クリップ部の幅と前記キャップの径とが略同一であり，前記クリップ部が当該筆記具の重心位置まで伸びている」と記載され，同段落【００７１】に「クリップ部１０４ｂの幅Ｗは，図３４の平面図からも明らかなように，筒状のキャップ本体１０４ａの径と略同一である。」と記載され，同段落【００７６】において「クリップ部１０４ｂを筆記具の重心位置まで伸ばし，キャップ１０４が，上述した構造のクリップ部１０４ｂを有することによって，例えば，クリップ部１０４ｂの幅広の平面を下にして筆記具１００を机上等に置いた場合，筆記具１００の後端部が机上に接地せず，浮いた状態で安定させることができる。」と記載されているように，訂正事項１における「クリップ部」について，「クリップ部の幅」と「キャップの径」とが「略同一」であり，「筆記具の重心位置まで伸びて」いるものに限定する訂正は，本件特許明細書等に記載した事項の範囲内でするものである。
　さらに，本件特許明細書の段落【００７３】には，「図３８に示されるように，消去時に，クリップ部１０４ｂの平坦なガイド面１０４ｄを，紙面に押しつけながらガイド面１０４ｄに沿ってキャップ１０４をスライドさせることで，一定幅での筆跡の消去が可能となる。」と記載されているように，訂正事項１における「クリップ部の前端面」に「形成された」「ガイド面」が，「平坦」であるものに限定する訂正は，本件特許明細書等に記載した事項の範囲内でするものである。
　ウ　小括
　以上のとおりであるから，訂正事項１は，特許法第１２０条の５第２項第１号に規定する特許請求の範囲の減縮を目的とするものに該当し，同条第９項で準用する同法第１２６条第５項及び第６項に規定する要件に適合するものである。
　なお，特許法第１２０条の５第９項により読み替えて適用される同法１２６条第７項に規定する要件（所謂独立特許要件）については，訂正事項１に係る本件特許の請求項１に係る特許が特許異議の申立ての対象とされているものであるから，本件訂正請求による訂正後の請求項１に係る発明については課されない。
　（２）訂正事項２について
　訂正事項２は，訂正前の請求項２に係る発明の発明特定事項である「キャップの側面」と「クリップ部」の「接続部」の「横断面形状」を「Ｔ字型」であるものに限定するものであるところ，これらの訂正事項は，訂正事項１の一部の訂正事項と実質的に同じ内容のものである。
　そして，当該訂正事項２は，上記（１）アで検討したとおり，特許請求の範囲の減縮を目的とするものに該当し，実質的に特許請求の範囲を拡張し，又は変更するものではない。
　また，当該訂正事項２が，本件特許明細書等に記載した事項の範囲内でするものであることも，上記（１）イで検討したとおりである。
　以上のとおりであるから，訂正事項２は，特許法第１２０条の５第２項第１号に規定する特許請求の範囲の減縮を目的とするものに該当し，同条第９項で準用する同法第１２６条第５項及び第６項に規定する要件に適合するものである。
　なお，特許法第１２０条の５第９項により読み替えて適用される同法１２６条第７項に規定する要件（所謂独立特許要件）については，訂正事項２に係る本件特許の請求項２に係る特許が特許異議の申立ての対象とされているものであるから，本件訂正請求による訂正後の請求項２に係る発明については課されない。
　３　小括
　上記２で検討したとおり，本件訂正請求による訂正は，特許法第１２０条の５第２項第２号に該当するものであって，同条第９項で準用する同法第１２６条第５項及び第６項の規定する要件に適合し，同条第７項に規定する要件に違反するものではないから，特許第６３９２２９８号の特許請求の範囲を，訂正請求書に添付された訂正特許請求の範囲のとおり，訂正後の請求項１，２について訂正することを認める。
第３  特許異議の申立てについて
　１　本件特許発明
　上記第２の３のとおり，本件訂正請求による訂正は認めることができるから，本件特許異議の申立てに係る特許第６３９２２９８号の請求項１及び２の特許に係る発明は，本件訂正請求書に添付された訂正特許請求の範囲の請求項１及び２に記載された事項により特定されるつぎのとおりのものである。（以下，それぞれの特許発明を「本件訂正発明１」及び「本件訂正発明２」という。）
　
「【請求項１】
　消去部材を備えたキャップと，該キャップが嵌合する軸筒とを具備し，
　前記キャップの側面にクリップ部が接続部を介して一体的に設けられ，
　前記クリップ部が軸線方向に延びる略長方形の板状部材であり，
　
前記クリップ部の幅と前記キャップの径とが略同一であり，前記クリップ部が当該筆記具の重心位置まで伸びており，
　消去動作時に紙面と当該筆記具の中心軸線とが成す角度Ａが４０〜８０度の範囲となるように，前記クリップ部の前端面に
平坦な
　
前記接続部がＴ字型の横断面形状を有し
  【請求項２】
　消去部材を備えたキャップと，該キャップが嵌合する軸筒とを具備し，
　前記キャップの側面にクリップ部が接続部を介して一体的に設けられ，
　前記クリップ部が軸線方向に伸びる略長方形の板状部材であり，
　前記クリップ部の幅と前記キャップの径とが略同一であり，前記クリップ部が当該筆記具の重心位置まで伸び
ており，
　
前記接続部がＴ字型の横断面形状を有し
　２　取消理由の概要
　令和１年６月２０日付けで通知した取消理由はつぎのとおりのものである。
　（１）取消理由１（特許法第３６条第６項第２号違反について）
　ア　請求項１について
　本件特許請求の範囲の請求項１には，「前記クリップ部が軸線方向に延びる略長方形の板状部材であ」ることが特定されているところ，ここでの「略長方形」とは，どのような形状を含むものであるかが明らかでないから，本件特許発明１は明確でない。
　段落【００７０】には，「キャップ１０４の特徴は，クリップ部１０４ｂが，クリップ本体１０４ａの略全長に亘って軸線方向に延びる略長方形の板状部材である」と記載されているものの，段落【００７０】の記載や，その他の明細書の記載をみても，本件特許発明１の「クリップ部」を「略長方形」とすることの技術定義については何らの記載もないから，発明の詳細な説明を参酌したとしても，本件特許発明１にいう「略長方形」がどのような技術的意義をもつ形状を意味するものかについて解釈することもできない。
　イ　請求項２について
　本件特許請求の範囲の請求項２にも，「前記クリップ部が軸線方向に延びる略長方形の板状部材であ」ることが特定されているところ，上記アで検討したとおり，「略長方形」とは，どのような形状を含むものであるかが明らかでないから，本件特許発明２は明確でない。　
　ウ　上記のとおり，本件特許発明１及び２は，いずれも明確でないから，本件特許請求の範囲の請求項１及び請求項２の記載は，特許法第３６条第６項第２号に規定する要件を満たさない。
　したがって，本件特許請求の範囲の請求項１及び２に係る特許は，同号に規定する要件を満たしていない特許出願に対してされたものであって，同法第１１３条第４号に該当するから，取り消されるべきものである。
　（２）取消理由２（特許法第３６条第６項第１号違反について）
　ア　請求項１について
　（ア）本件特許請求の範囲の請求項１には，「消去動作時に紙面と当該筆記具の中心軸線とが成す角度Ａが４０〜８０度の範囲となるように，前記クリップ部の前端面にガイド面が形成されている」ことが特定されている。
　（イ）これに対して，発明の詳細な説明の「【００７３】 図３８は，図３２に示された筆記具１００の消去部材２が取り付けられたキャップ１０４の消去時の使用状態を示す図である。図３８に示されるように，
消去時に，クリップ部１０４ｂの平坦なガイド面１０４ｄを，紙面に押し付けながらガイド面１０４ｄに沿ってキャップ１０４をスライドさせることで，一定幅での筆跡の消去が可能
安定した消去動作が可能となり，また，一定幅で長い範囲の消去を容易に行うことが可能とな
【００７４】また，消去部材２の形状や，キャップ本体１０４ａに対するクリップ部１０４ｂの軸線方向位置，ガイド面１０４ｄの形状等を調整することによって
，消去動作時に紙面と筆記具１００の中心軸線とが成す角Ａを調整することができる。この角度Ａは，４０〜８０度の範囲であることが望ましい
　（ウ）かえって，異議申立人の提出した甲１５号証（日本筆記具工業界がホームページで開示しているボールペンユーザーマニュアル）において「適正な筆記角度」が「６０°〜９０°」であることが示されていることや，消しゴムなどの使用時における筆記面に対する角度についても６０°〜９０°の範囲で用いることが経験則からも知られていることに照らせば，技術常識からも，本件特許発明１の課題が「４０〜８０度」の範囲で達成することができるものと当業者が認識できるものとはいえないものと解される。
　（エ）以上のとおりであるから，本件明細書の発明の詳細な説明の記載からは，本件特許発明１の「角度Ａが４０〜８０度」の範囲において，本件特許発明１の課題を解決し得るものと当業者が認識し得ることができないから，本件特許発明１は，発明の詳細な説明の記載からサポートされる範囲を超えるものというほかない。
　イ　小括
　本件特許請求の範囲の請求項１の記載は，特許法第３６条第６項第１号に規定する要件を満たさないから，本件特許請求の範囲の請求項１に係る特許は，同号に規定する要件を満たしていない特許出願に対してされたものであって，同法第１１３条第４号に該当し取り消されるべきものである。
  （３）取消理由３（特許法第２９条第２項違反について）
　ア　取消理由３−１（甲２号証を主引用例とする進歩性欠如について）
　本件特許発明１は，甲２号証に記載された発明に周知技術１又は周知技術２を適用することにより，当業者が容易に発明をすることができたものであって，特許法第２９条第２項の規定により特許を受けることができないものであるから，同法第１１３条第２号に該当し取り消されるべきものである。
　イ　取消理由３−２（甲１２号証を主引用例とする進歩性欠如について）
　本件特許発明２は，甲１２号証に記載された発明に周知技術３及び４を適用することにより，当業者が容易に発明をすることができたものであって，特許法第２９条第２項の規定により特許を受けることができないものであるから，同法第１１３条第２号に該当し取り消されるべきものである。
　ウ　取消理由３−３（甲１３号証を主引用例とする進歩性欠如について）
　本件特許発明１は，甲１３発明に上記周知技術１又は周知技術２を適用することにより，当業者が容易に発明をすることができたものであって，特許法第２９条第２項の規定により特許を受けることができないものであるから，同法第１１３条第２号に該当し取り消されるべきものである。
　３　特許異議の申立て理由について
　特許異議申立人が主張する理由は，申立理由１（明確性違反）及び申立理由２（サポート要件違反）及び，新規性違反，進歩性違反に関する次の理由であるところ，申立理由１及び申立理由２は，上記取消理由通知において通知した理由と同じ理由に係るものである。
　（１）本件特許発明１及び２に対する甲第１号証を主引用例とする新規性違反について（申立理由３）
　（２）本件特許発明１及び２に対する甲第２号証を主引用例とする新規性違反（申立理由４−１）及び進歩性違反（申立理由４−２）
　（３）本件特許発明１及び２に対する甲第３号証を主引用例とする新規性違反（申立理由５−１）及び進歩性違反（申立理由５−２）
　（４）本件特許発明１及び２に対する甲第１３号証を主引用例とする新規性（申立理由６−１）及び進歩性違反（申立理由６−２）
第４　当審の判断
　１　本件特許に係る出願の出願日（優先日）について
　（１）異議申立人は，本件特許出願は，分割出願であるところ，本件特許出願は分割要件を満たさないことから，その出願日は，本件特許出願の実際の出願日である平成２８年１１月３０日として判断されるべきである旨主張しているから，まず，その点について検討する。
　（２）異議申立人は，本件特許出願の分割時の原出願の明細書（甲１４号証）において，発明が解決しようとする課題として「【０００７】　本発明は，容易に取り付けることができる消去部材を備えた筆記具を提供することを目的とする。また，本発明は，強固に取り付けられた消去部材を備えた筆記具を提供することを目的とする。」旨記載され，当該課題を解決する手段として，「筆記具本体の後方の端部又はキャップの前方の端部に取付けられた消去部材を備えた筆記具であって，前記端部が中心軸線上に配置された嵌合部と，該端部及び前記嵌合部とを接続する接続部とを有し，前記消去部材が，前記嵌合部及び前記接続部を受容する嵌合穴を有し，前記消去部材が取り付けられた状態で，前記接続部の周囲に隙間空間が形成され，前記消去部材の一部を包囲する支持壁をさらに有し，前記消去部材の前記一部の側面に係合突部が設けられ，前記係合突部と前記支持壁の内周面とが当接していることを特徴とする筆記具」が提示されているのに対して，本件訂正発明１及び２は，いずれも「消去部材付き筆記具の外形的な特徴を規定するのみであって，「容易に取り付けることができる消去部材を備えた筆記具を提供すること，強固に取り付けられた消去部材を備えた筆記具を提供することといった技術的課題の解決手段が全く規定されていないところ，このような課題解決のための技術的手段が反映されていない発明を分割時明細書から読み取ることは出来ないことを理由に分割要件違反である旨主張している。
　（３）本件訂正発明１及び２は，上記第３の１で説示したとおりのものであるところ，本件訂正発明１及び２が，原出願の明細書に記載されているといえるか否かについて，以下検討する。
　ア　甲１４号証にはつぎの記載が存在する。
「【００６７】　図３２は，本発明の一態様による消去部材２を備えた第２実施形態による筆記具１００の縦断面図である。
筆記具１００は，
筒状に延びる軸筒６を備えた筆記具本体３と，キャップ１０４とを有する
【００６８】　図３３は，図３２に示された筆記具１００のキャップ１０４の斜視図であり，図３４は，図３３に示されたキャップ１０４の平面図であり，図３５は，図３３に示されたキャップ１０４の側面図であり，図３６は，図３３に示されたキャップ１０４の縦断面図であり，図３７は，図３３に示されたキャップ１０４の図３５の線Ｓ−Ｓにおける断面図である。
【００６９】　
キャップ１０４は，キャップ本体１０４ａと，クリップ部１０４ｂと，本実施形態においては，消去部材２とを有する
側面にクリップ部１０４ｂが接続部１０４ｃを介して一体的に設けられ
【００７０】　
キャップ１０４の特徴は，クリップ部１０４ｂが，クリップ本体１０４ａの略全長に亘って軸線方向に延びる略長方形の板状部材であること
クリップ部１０４ｂの前端面中央部分には，中心軸線に対して垂直な平面であるガイド面１０４ｄが形成され
　クリップ部１０４ｂの各縁部は面取りが施されている。なお，ガイド面１０４ｄは，中心軸線に対して垂直でなくてもよい。例えば，図３８を参照しながら後述するように，消去時に対向する紙面に合わせた斜面であってもよい。
【００７１】　
クリップ部１０４ｂの幅Ｗは，図３４の平面図からも明らかなように，筒状のキャップ本体１０４ａの径と略同一である。
従来のクリップ部，例えば図２に示されたキャップ４のクリップ部４ｂに比べ，キャップ１０４のクリップ部１０４ｂは，幅広で広範且つ平滑な表面を有している。従って，当該表面に対して，転写印刷等の装飾を施すことによって，意匠性を高めることができ，ユーザーへの訴求力を高めることができる
【００７２】　
キャップ本体１０４ａとクリップ部１０４ｂとを接続する接続部１０４ｃは，図３７に示されるように，Ｔ字型の横断面形状を有している。このため，クリップ部１０４ｂの周方向の力（図３７における上下方向）に対する強度が増している。従って，ユーザーの使用時等に，クリップ部１０４ｂに対して周方向の力が加わった場合であっても，接続部１０４ｃの破損が防止される。
【００７３】　図３８は，図３２に示された筆記具１００の消去部材２が取り付けられたキャップ１０４の消去時の使用状態を示す図である。図３８に示されるように
，消去時に，クリップ部１０４ｂの平坦なガイド面１０４ｄを，紙面に押し付けながらガイド面１０４ｄに沿ってキャップ１０４をスライドさせることで，一定幅での筆跡の消去が可能となる。
【００７４】　また，消去部材２の形状や，キャップ本体１０４ａに対するクリップ部１０４ｂの軸線方向位置，ガイド面１０４ｄの形状等を調整することによって，消去動作時に紙面と筆記具１００の中心軸線とが成す角Ａを調整することができる。この角度Ａは，４０〜８０度の範囲であることが望ましい。
【００７５】　上述した効果の他に，
クリップ部１０４ｂの幅Ｗとキャップ本体１０４ａの径が略同一であることにより，例えばクリップ部１０４ｂの幅広の平面を上にして筆記具１００を机上等に置いた場合，筆記具１００が回転してクリップ部１０４ｂの側面が机上等に接触して，筆記具１００を真横の状態で維持することができる。従って，筆記具１００の拾い上げ時に軸筒６を把持し易いという効果を奏する。また，筆記具１００の転がりも常に防止することができる。
【００７６】　さらに，
クリップ部１０４ｂを筆記具の重心位置まで伸ばし，キャップ１０４が，上述した構造のクリップ部１０４ｂを有することによって，例えば，クリップ部１０４ｂの幅広の平面を下にして筆記具１００を机上等に置いた場合，筆記具１００の後端部が机上に接地せず，浮いた状態で安定させることができる。従って，筆記具１００の拾い上げ時に軸筒６を把持し易いという効果を奏する
  イ　上記の記載によれば，本件特許出願の分割時の原出願の明細書には，本件訂正発明１及び本件訂正発明２に係る実施形態の発明が記載されているものと認められ，また，その技術的意義として，本件訂正発明１及び２が備える構成である「キャップ」と「クリップ部」とを「接続する接続部」が「Ｔ字型の横断面形状を有している」ことにより，「クリップ部」の「周方向の力に対する強度が増し」，「ユーザーの使用時等に，クリップ部に対して周方向の力が加わった場合であっても，接続部の破損が防止される」こと，同じく本件訂正発明１及び２が備える構成である「クリップ部が軸線方向に延びる略長方形の板状形状であり，前記クリップ部の幅と前記キャップの径とが略同一であり，前記クリップ部が当該筆記具の重心位置まで延びている」ことにより，「クリップ部の幅広の平面を上にして筆記具を机上等に置いた場合，筆記具が回転してクリップ部の側面が机上等に接触して，筆記具を真横の状態で維持することができ」，「筆記具の拾い上げ時に軸筒を把持し易く」，「筆記具転がりも常に防止することができる」こと，「クリップ部の幅広の平面を下にして筆記具を机上等に置いた場合，筆記具の後端部が机上に接地せず，浮いた状態で安定させることができ」，「筆記具の拾い上げ時に軸筒を把持し易い」こと，本件訂正発明１が備える構成である「クリップ部の前端面に平坦なガイド面を形成する」ことにより，「消去時に，クリップ部」の「平坦なガイド面を，紙面に押し付けながらガイド面に沿ってキャップをスライドさせることで，一定幅での筆跡の消去が可能となる」ことなどを読み取ることができる。
　なお，異議申立人は，分割出願時点の明細書の記載を問題としているが，本件特許出願の分割時点において，原出願は，審査係属中であったから，分割要件を満たすか否かの判断において，問題となるのは，本件特許明細書に記載された事項が，原出願の出願当初に添付された明細書，特許請求の範囲及び図面（以下，「原出願当初明細書等」という。）に記載された事項の範囲内のものであるか否かである。
　そこで，本件特許出願の原出願の出願公開公報である甲１号証においても，上記アと同じ記載が存在しているものと認められ（段落【００６７】ないし【００７６】），これらの記載が，原出願の当初明細書等においても存在するものと認められる。
　ウ　以上のことからすれば，本件訂正発明１及び本件訂正発明２は，原出願の当初明細書等に記載されているものと認めることができる。
　そして，本件特許明細書においては，上記アと同じ記載が段落【００６７】ないし【００７６】に存在していること，さらに，特許請求の範囲の記載以外の本件特許明細書等に記載された事項が，原出願の当初明細書等に記載された事項の範囲を超えるものは見受けられない。
　（４）小括
　以上のとおりであるから，本件特許出願は，原出願の当初明細書に記載された二以上の発明の一部を新たな特許出願としたものであって，その明細書の記載には，原出願の当初明細書に記載した範囲の事項以外の事項が存在するとは認められないから，分割要件を満たすものであり，その出願日は，特許法第４４条第２項の規定により原出願の出願日である平成２４年５月３０日とみなされることとなり，その結果，優先日も平成２３年１２月９日（以下，「本件優先日」という。）であると認める。
　２　取消理由１（特許法第３６条第６項第２号違反）について
　（１）請求項１について
　訂正前の「クリップ部」の形状が，「軸線方向に延びる略長方形の板状部材」とのみ特定されていたことから，「略長方形」により，板状部材の形状がどのように特定されるのか，特に，各辺の長さ関係を含めて明確に理解することができなかった。
　本件訂正請求により，本件訂正発明１の「クリップ部」は，「軸線方向に伸びる略長方形の板状部材」であると共に，「クリップ部の幅」が「キャップの径」と「略同一」であり，「クリップ部」が「筆記具の重心位置まで伸びている」形状であることが特定されることとなった。
　そして，当該特定によって，「略長方形」の各辺の長さが「クリップ部」の幅と「筆記具の重心位置までの長さ」で特定される形状として特定するものであることを当業者が容易に理解できるところとなったものといえるから，本件訂正発明１において，「略長方形の板状部材」がそのような幅と長さで定義される「長方形の板状部材」であることが明確に特定されるものとなったというべきである。
　また，本件特許明細書の段落【００７５】には，「クリップ部１０４ｂの幅Ｗとキャップ本体１０４ａの径が略同一であることにより，例えばクリップ部１０４ｂの幅広の平面を上にして筆記具１００を机上等に置いた場合，筆記具１００が回転してクリップ部１０４ｂの側面が机上等に接触して，筆記具１００を真横の状態で維持することができる。従って，筆記具１０００の拾い上げ時に軸筒６を把持しやすいという効果を奏する。また，筆記具１００の転がりも常に防止することができる。」ことが，同段落【００７６】には，「クリップ部１０４ｂを筆記具の重心位置まで伸ば」すことにより，「例えば，クリップ部１０４ｂの幅広の平面を下にして筆記具１００を机上等に置いた場合，筆記具１００の後端部が机上に接地せず，浮いた状態で安定させることができる。したがって，筆記具１００の拾い上げ時に軸筒６を把持しやすいという効果を奏する。」ことが，それぞれ記載されていることに照らせば，クリップ部の「幅」をキャップの径と略同一とし，クリップ部を筆記具の重心位置まで伸ばした「略長方形」とする技術的意義についても示されている。
　以上のとおり，本件訂正発明１について特定されている「略長方形の板状部材」により特定しようとする内容は，当業者が理解できるものであるから，本件訂正発明１を不明確とすることはできない。
　（２）請求項２について
　本件特許請求の範囲の請求項２にも，「前記クリップ部が軸線方向に延びる略長方形の板状部材であ」ることが特定されており，「クリップ部の幅」が「キャップの径」と「略同一」であり，「クリップ部」が「筆記具の重心位置まで伸びている」形状であることが特定されているところ，上記（１）のとおり，本件訂正請求により請求項１において特定されている「略長方形」と請求項２において特定されている「略長方形」とが，同じ形状として統一されることとなった。
　そして，上記（１）で検討したとおり，「略長方形の板状部材」により特定しようとする内容は，当業者が理解できるものであるから，本件訂正発明２を不明確とすることはできない。
　（３）小括
　上記（１）及び（２）で検討したとおり，本件訂正発明１及び２は，いずれも不明確とすることはできないから，本件訂正請求による訂正後の特許請求の範囲の請求項１及び請求項２の記載は，特許法第３６条第６項第２号に規定する要件を満たしているものである。
　以上のとおりであるから，本件特許の請求項１及び２に係る特許は，取消理由１，すなわち，異議申立人の主張する申立理由１によっては，取り消すことができない。
　３　取消理由２（特許法第３６条第６項第１号違反について）
　（１）請求項１について
　ア　本件訂正請求による訂正後の本件訂正発明１において，「クリップ部」の「前端面に平坦なガイド面が形成されている」こと，すなわち，本件訂正発明１の「クリップ部」が，「前端面に平坦なガイド面」を有するものであることが特定されることとなった。
　イ　これに対して，発明の詳細な説明の「【００７３】 図３８は，図３２に示された筆記具１００の消去部材２が取り付けられたキャップ１０４の消去時の使用状態を示す図である。図３８に示されるように，
消去時に，クリップ部１０４ｂの平坦なガイド面１０４ｄを，紙面に押し付けながらガイド面１０４ｄに沿ってキャップ１０４をスライドさせることで，一定幅での筆跡の消去が可能
安定した消去動作が可能となり，また，一定幅で長い範囲の消去を容易に行うことが可能とな
【００７４】また，消去部材２の形状や，キャップ本体１０４ａに対するクリップ部１０４ｂの軸線方向位置，ガイド面１０４ｄの形状等を調整することによって
，消去動作時に紙面と筆記具１００の中心軸線とが成す角Ａを調整することができる。この角度Ａは，４０〜８０度の範囲であることが望ましい
　してみると，本件訂正請求による訂正後の本件訂正発明１において，「クリップ部」が「前端面に平坦なガイド面」を有するものであることが特定されたことにより，本件訂正発明１が，所定の課題を解決し得るものと当業者が認識し得るものとなったといえる。
　ウ　「角度Ａ」を，「４０〜８０度」の範囲とすることについては，本件訂正発明１の課題との関係において，「望ましい」とする範囲であるから，異議申立人の提出した甲１５号証（日本筆記具工業界がホームページで開示しているボールペンユーザーマニュアル）において「適正な筆記角度」が「６０°〜９０°」であることが示されていることや，消しゴムなどの使用時における筆記面に対する角度についても６０°〜９０°の範囲で用いることが経験則からも知られているとしても，当該範囲を特定したことにより，上記課題の解決が妨げるものではなく，「角度Ａ」が「４０〜８０度」であっても，安定した消去動作が可能となり，また，一定幅で長い範囲の消去を容易に行うことが可能となるものであると把握できる。
　エ　以上のとおりであるから，本件訂正発明１が，本件訂正発明１の課題を解決し得るものと当業者が認識し得る範囲を超えるものということはできず，本件訂正発明１は，発明の詳細な説明に記載されたものというべきものであるから，本件訂正請求による訂正後の特許請求の範囲の請求項１の記載は，特許法第３６条第６項第１号に規定する要件を満たしているものである。
　（２）請求項２について
　異議申立人は，請求項２についても，上記取消理由と同じ理由により，特許法第３６条第６項第１号に規定する要件を満たしていない旨主張している。
　しかしながら，本件訂正発明２において，「角度Ａ」は特定されていないから，そもそも，「角度Ａ」を理由にサポート要件を満たさないとする申立て理由が本件訂正発明２において妥当しないことは明らかである。
　したがって，本件特許の請求項２に係る特許は，異議申立人の主張する申立理由２によっては，取り消すことができない。
　（３）小括
　以上のとおりであるから，本件訂正請求による訂正後の特許請求の範囲の請求項１及び２の記載は，特許法第３６条第６項第１号に規定する要件を満たさないものとはいえず，本件特許の請求項１及び２に係る特許は，取消理由２，すなわち，異議申立人の主張する申立理由２によっては，取り消すことができない。
　４　取消理由３（特許法第２９条第２項違反について）
　（１）取消理由３−１（甲２号証を主引用例とする進歩性欠如について）
　ア　各証拠の記載について
　（ア）甲２号証について
　本件特許に係る出願の優先日（平成２３年１２月９日，以下，「本件優先日」という。）前に発行された意匠公報である甲２号証（意匠登録第１２０３９７６号公報）にはつぎの記載がある。
　ａ　「【意匠に係る物品の説明】消しゴムを装着した筆記具用キャップである。」
　ｂ　「【意匠の説明】円筒状のキャップ本体に，両端が円弧状で，やや幅広の板状のクリップが形成されており，当該クリップは，キャップ本体の開口部よりクリップ全長の約１／４の長さが突きでている。また，キャップ本体頭部には，円形の消しゴム装着用の穴が設けられ，当該穴に円柱状の消しゴムが装着される。」
　ｃ　甲２号証に記載の【図面】の【正面図】及び【背面図】から，キャップ本体とクリップを接続する接続部が看て取れる。
　ｄ　以上のことから，甲２号証には，
　「円筒状のキャップ本体に，両端が円弧状で，やや幅広の板状のクリップが接続部を介して形成されており，当該クリップは，キャップ本体の開口部よりクリップ全長の約１／４の長さが突き出ており，キャップ本体頭部には，円形の消しゴム装着用の穴が設けられており，当該穴に円柱状の消しゴムが装着された筆記具用キャップ」が記載されているものと認められる。
　（イ）甲４号証について
　甲４号証は，異議申立人が作成した測定結果報告書であって，その１頁「２　測定結果」の（１）には，「甲２号証の【正面図】において，キャップ中心軸を通る直線とクリップのキャップ本体頭部側端面とキャップ本体頭部に装着された消しゴムのクリップ側角部とを結んだ直線との交差角度を測定した結果，当該交差角度が５２°」であることが記載されている。
　（ウ）上記（イ）における測定結果報告書における測定結果に基づけば，甲２号証に記載の「キャップ」の「キャップ中心軸を通る直線とクリップのキャップ本体頭部側端面とキャップ本体頭部に装着された消しゴムのクリップ側角部とを結んだ直線との交差角度」が「５２°」であると認めることができるから，結局甲２号証には，「円筒状のキャップ本体に，両端が円弧状で，やや幅広の板状のクリップが形成されており，当該クリップは，キャップ本体の開口部よりクリップ全長の約１／４の長さが突き出ており，キャップ本体頭部には，円形の消しゴム装着用の穴が設けられており，当該穴に円柱状の消しゴムが装着され，キャップ中心軸を通る直線とクリップのキャップ本体頭部側端面とキャップ本体頭部に装着された消しゴムのクリップ側角部とを結んだ直線との交差角度が５２°である筆記具用キャップ」の発明（以下，「甲２発明」という。）が記載されているものと認められる。
　イ　本件訂正発明１について
　（ア）本件訂正発明１と甲２発明との対比
　本件訂正発明１と甲２発明とを対比すると，両者は，「消去部材を備えたキャップと，前記キャップの側面にクリップ部が接続部を介して設けられ，前記クリップ部が軸線方向に延びる板状部材である筆記具キャップ」である限りにおいて一致し，つぎの相違点で相違する。
＜相違点１−１＞
　本件訂正発明１が「キャップ」と，「該キャップが嵌合する軸筒を具備す」る「筆記具」であるのに対して，甲２発明は筆記具用の「キャップ」であって，キャップが嵌合する軸筒を具備する筆記具であることは特定されない点。
＜相違点１−２＞
　「キャップの側面」に「接続部」を介して設けられた「クリップ部」に関して，本件訂正発明１は，「一体的に設けられ」ているのに対して，甲２発明が一体的に設けられたものか否かが不明である点
＜相違点１−３＞
　本件訂正発明１の「クリップ部」は，「軸線方向に伸びる略長方形の板状部材」であって，「前記クリップ部の幅と前記キャップの径とが略同一であり，前記クリップ部が当該筆記具の重心位置まで伸びて」いるのに対して，甲２発明の「クリップ」は，「軸線方向に伸びる板状部材」であるものの，「略長方形」であると特定されず，「クリップ」の幅はキャップの径より小さく，クリップが当該キャップに嵌合される筆記具の重心位置まで伸びているか否かが不明である点
＜相違点１−４＞
　本件訂正発明１は「消去動作時に紙面と当該筆記具の中心軸線とが成す角度Ａが４０〜８０度の範囲となるように，前記クリップ部の前端面に平坦なガイド面が形成されている」のに対して，甲２発明は「キャップ中心軸を通る直線とクリップのキャップ本体頭部側端面とキャップ本体頭部に装着された消しゴムのクリップ側角部とを結んだ直線との交差角度が５２°」であることが特定される点
＜相違点１−５＞
　本件訂正発明１は，「接続部がＴ字型の横断面形状を有」するのに対して，甲２発明は，そのように特定されない点
　（イ）判断
　ａ　相違点１−１について
　甲２発明は「筆記具用キャップ」であって，その形状及び技術常識に照らせば，「キャップ本体の開口部」に軸筒を有する筆記具が嵌合するものであることは明らかであるから，甲２号証に接した当業者にとって，甲２発明の「筆記具キャップ」の本体開口部に軸筒を有する筆記具が嵌合されたもの，すなわち，甲２発明の「筆記具キャップ」と「該キャップに嵌合する軸筒を具備」する筆記具は，記載されているに等しい事項であるといえる。
　また，そうでないとしても，甲２発明が「筆記具用キャップ」であることからすれば，甲２発明の「筆記具用キャップ」の「キャップ本体の開口部」に「軸筒を具備する筆記具」を嵌合するようにして，「筆記具用キャップとキャップ本体の開口部に嵌合する軸筒を具備する筆記具」とすることは，当業者が当然なし得ることにすぎない。
　したがって，相違点１−１は，実質的に相違点ではないか，当業者が当然なし得る程度のことにすぎない。
　ｂ　相違点１−２について
　側面にクリップを備えるキャップを形成するにあたり，射出形成などにより，キャップにクリップを一体的に設けるようにすることは，例を挙げるまでもなく周知の手法であるから，甲２発明において，キャップとクリップを一体的に設けることに格別の困難性はなく，上記相違点１−２は，当業者が適宜なし得る程度のことにすぎない。
　ｃ　相違点１−３について
　（ａ）異議申立人の提出した甲５号証（意匠登録第６００３３８号公報），甲６号証（意匠登録第７２４９０２号公報）及び甲７号証（意匠登録第７６０３２８号公報）に記載されているように，「筆記具用キャップ」の「クリップ」の形状が「長方形」の板状であるものは，本件優先日前に従来周知の構成（以下，「周知技術１」という。）であり，さらに甲８号証（意匠登録第８３５８４９号公報），甲９号証（意匠登録第８３５８５０号公報）及び甲１０号証（意匠登録第８５３５６３８号公報）に記載されているように，筆記具本体に形成された「クリップ」の形状が筆記具の本体と略同一の幅を有する長方形の板状であるものも，本件優先日前において従来周知の構成（以下，「周知技術２」という。）であると認められる。
　本件訂正発明１の「クリップ部」は，「略長方形」であって，かつ，「前記クリップ部の幅と前記キャップの径とが略同一であり，前記クリップ部が当該筆記具の重心位置まで伸びて」いることが特定されるものであり，甲２発明の「クリップ」の形状を，上記周知技術１や周知技術２にあるように「筆記具の本体と略同一の幅を有する長方形の板状」とすることは，当業者が適宜なし得る程度のことにすぎない。
　しかしながら，甲２発明の「筆記具用キャップ」と「該キャップに嵌合する軸筒を具備」する筆記具が甲２号証に記載されているに等しいとしても，当該筆記具の具体的な寸法が開示されているわけではないことからすれば，甲２発明の「クリップ」を「筆記具の重心位置まで伸ばす」ことまでが観念できるものとはいえない。
　また，「クリップ部が当該筆記具の重心位置まで伸びている」構成が，周知であることを示す証拠もない。
　（ｂ）甲１２号証には，後記（２）ア（イ）で認定したように，「ボールペンのキャップの枝を延長し目盛りを付けて定規を設けたキャップ式定規付きボールペンであって，キャップの定規につながる部分及び定規の紙面に接触している部分を平らとし，キャップの枝を延長し目盛りを付けた定規とされた部分の幅は，キャップの幅と略同じ幅としたボールペン」の発明が記載されており，甲１２号証の「キャップの枝を延長し目盛りを付けて定規」とした部分は，長方形状であり，かつ，筆記具の重心位置を超えた部分まで伸びていることは明らかであると認められる。
　しかしながら，甲１２発明の「キャップの枝」は，定規として用いるために形成されたものであり，当該「キャップの枝」がクリップの役目を果たすか否かは，甲１２号証の記載からは不明である。また，甲１２発明の「キャップの枝」は，キャップと筆記具の軸筒の長さの２／３程度まで伸びており，甲２発明の板状のクリップをそのような長さとした場合には，クリップとしての使用に支障が生じることは明らかである。
　してみると，甲２発明に甲１２発明の「キャップの枝」を適用することには，阻害要因があるというべきである。
　（ｃ）以上のとおりであるから，相違点１−３は，当業者が容易に想到し得るものということはできない。
　ｄ　相違点１−４について
　本件特許明細書の発明の詳細な説明の段落【００７４】及び本件特許図面の図３８に示されている角度Ａからみて，甲２発明の「キャップ中心軸を通る直線とクリップのキャップ本体頭部側端面とキャップ本体頭部に装着された消しゴムのクリップ側角部とを結んだ直線との交差角度」は，本件特許発明１の「角度Ａ」に対応する角度である。
　してみると，甲２発明の「キャップ中心軸を通る直線とクリップのキャップ本体頭部側端面とキャップ本体頭部に装着された消しゴムのクリップ側角部とを結んだ直線との交差角度が５２°」であることは，本件特許発明１の「消去動作時に紙面と当該筆記具の中心軸線とが成す角度Ａが５２度となるように，前記クリップ部の前端面にガイド面が形成されている」ことに相当するものといえる。
　しかしながら，甲２発明には，「クリップの前端面に平坦なガイド面が形成されている」点を備えるものではなく，当該構成は，消去部を有する筆記具について記載された甲３号証及び甲１３号証にも開示されていない。
　してみると，上記相違点１−４は，当業者が容易に想到し得るものということはできない。
　ｅ　相違点１−５について
　本件訂正発明１においては，「キャップの側面にクリップ部が接続部を介して一体的に設けられ」ており，「当該接続部がＴ字型の横断面形状を有している」ところ，「筆記具のキャップ」を開示する甲３号証，甲５号証ないし甲１３号証（甲１号証は，上記１のとおり，本件優先日後に公開されたものであるから除外される。）には，キャップの側面にクリップ部を接続する接続部の断面形状がＴ字型であるものは記載も示唆もされていない。
　そして，当該構成により，クリップ部の周方向の力に対する強度が増すことにより，クリップ部に対して周方向の力が加わった場合であっても接続部の破損を防止するという作用効果を奏することに照らせば，当該構成が設計的事項であるということもできない。
　してみると，相違点１−５を当業者が容易に想到し得るものということはできない。
　（ウ）小括
　以上のとおりであるから，本件訂正発明１は，取消理由３−１，すなわち，異議申立人の主張する申立理由４−２によっては，取り消すことができない。
　なお，上記で検討したように，本件訂正発明１と甲２発明との間に相違点が存在する以上，異議申立人の主張する申立理由４−１によっても，本件訂正発明１を取り消すことができないことは明らかである。
　ウ　本件訂正発明２について（取消理由では，取消理由３−１は本件訂正発明２に対して通知されていないが，異議申立人が申立理由４−１及び４−２として，本件訂正発明２についても取消の理由として主張していることから，本件訂正発明２についても検討する。）
  （ア）本件訂正発明２と甲２発明との対比
　本件訂正発明２と甲２発明とを対比すると，両者は，「消去部材を備えたキャップと，前記キャップの側面にクリップ部が接続部を介して設けられ，前記クリップ部が軸線方向に延びる板状部材である筆記具キャップ」である限りにおいて一致し，つぎの相違点で相違する。
＜相違点２−１＞
　本件訂正発明２が「キャップ」と，「該キャップが嵌合する軸筒を具備す」る「筆記具」であるのに対して，甲２発明は筆記具用の「キャップ」であって，キャップが嵌合する軸筒を具備する筆記具であることは特定されない点。
＜相違点２−２＞
　「キャップの側面」に「接続部」を介して設けられた「クリップ部」に関して，本件訂正発明２は，「一体的に設けられ」ているのに対して，甲２発明が一体的に設けられたものか否かが不明である点
＜相違点２−３＞
　本件訂正発明２の「クリップ部」は，「軸線方向に伸びる略長方形の板状部材」であって，「前記クリップ部の幅と前記キャップの径とが略同一であり，前記クリップ部が当該筆記具の重心位置まで伸びて」いるのに対して，甲２発明の「クリップ」は，「軸線方向に伸びる板状部材」であるものの，「略長方形」であると特定されず，「クリップ」の幅はキャップの径より小さく，クリップが当該キャップに嵌合される筆記具の重心位置まで伸びているか否かが不明である点
＜相違点２−４＞
　本件訂正発明２は，「接続部がＴ字型の横断面形状を有」するのに対して，甲２発明は，そのように特定されない点
　（イ）判断
　ａ　相違点２−１について
　甲２発明は「筆記具用キャップ」であって，その形状及び技術常識に照らせば，「キャップ本体の開口部」に軸筒を有する筆記具が嵌合するものであることは明らかであるから，甲２号証に接した当業者にとって，甲２発明の「筆記具キャップ」の本体開口部に軸筒を有する筆記具が嵌合されたもの，すなわち，甲２発明の「筆記具キャップ」と「該キャップに嵌合する軸筒を具備」する筆記具は，記載されているに等しい事項であるといえる。
　また，そうでないとしても，甲２発明が「筆記具用キャップ」であることからすれば，甲２発明の「筆記具用キャップ」の「キャップ本体の開口部」に「軸筒を具備する筆記具」を嵌合するようにして，「筆記具用キャップとキャップ本体の開口部に嵌合する軸筒具備する筆記具」とすることは，当業者が当然なし得ることにすぎない。
　したがって，相違点２−１は，実質的に相違点ではないか，当業者が当然なし得る程度のことにすぎない。
　ｂ　相違点２−２について
　側面にクリップを備えるキャップを形成するにあたり，射出形成などにより，キャップにクリップを一体的に設けるようにすることは，例を挙げるまでもなく周知の手法であるから，甲２発明において，キャップとクリップを一体的に設けることに格別の困難性はないから，上記相違点２−２は，当業者が適宜なし得る程度のことにすぎない。
　ｃ　相違点２−３について
　（ａ）本件訂正発明２の「クリップ部」は，「略長方形」であって，かつ，「前記クリップ部の幅と前記キャップの径とが略同一であり，前記クリップ部が当該筆記具の重心位置まで伸びて」いることが特定されるものであり，甲２発明の「クリップ」の形状を，上記イ（イ）ｃ（ａ）で説示したとおり，上記周知技術１や周知技術２を適用して「筆記具の本体と略同一の幅を有する長方形の板状」とすることは，当業者が適宜なし得る程度のことにすぎない。
　しかしながら，甲２発明の「筆記具用キャップ」と「該キャップに嵌合する軸筒を具備」する筆記具が甲２号証に記載されているに等しいとしても，当該筆記具の具体的な寸法が開示されているわけではないことからすれば，甲２発明の「クリップ」を「筆記具の重心位置まで伸ばす」ことまでが観念できるものとはいえない。
　また，「クリップ部が当該筆記具の重心位置まで伸びている」構成が，周知であることを示す証拠もない。
　（ｂ）甲１２号証には，後記（２）ア（イ）で認定したように，「ボールペンのキャップの枝を延長し目盛りを付けて定規を設けたキャップ式定規付きボールペンであって，キャップの定規につながる部分及び定規の紙面に接触している部分を平らとし，キャップの枝を延長し目盛りを付けた定規とされた部分の幅は，キャップの幅と略同じ幅としたボールペン」の発明が記載されており，甲１２号証の「キャップの枝を延長し目盛りを付けて定規」とした部分は，長方形状であり，かつ，筆記具の重心位置を超えた部分まで伸びていることは明らかであると認められる。
　しかしながら，甲１２発明の「キャップの枝」は，定規として用いるために形成されたものであり，当該「キャップの枝」がクリップの役目を果たすか否かは，甲１２号証の記載からは不明である。また，甲１２発明の「キャップの枝」は，キャップと筆記具の軸筒の長さの２／３程度まで伸びており，甲２発明の板状のクリップをそのような長さとした場合には，クリップとしての使用に支障が生じることは明らかである。
　してみると，甲２発明に甲１２発明の「キャップの枝」を適用することには，阻害要因があるというべきである。
　（ｃ）以上のとおりであるから，相違点２−３は，当業者が容易に想到し得るものということはできない。
　ｄ　相違点２−４について
　本件訂正発明２においては，「キャップの側面にクリップ部が接続部を介して一体的に設けられ」ており，「当該接続部がＴ字型の横断面形状を有している」ところ，甲３号証，甲５号証ないし甲１３号証（甲１号証は，上記１のとおり，本件優先日後に公開されたものであるから除外される。）には，キャップの側面にクリップ部を接続する接続部の断面形状がＴ字型であるものは記載も示唆もされていない。
　そして，当該構成により，クリップ部の周方向の力に対する強度が増すことにより，クリップ部に対して周方向の力が加わった場合であっても接続部の破損を防止するという作用効果を奏することに照らせば，当該構成が設計的事項であるということもできない。
　してみると，相違点２−４を当業者が容易に想到し得るものということはできない。
　（ウ）小括
　以上のとおりであるから，本件訂正発明２は，異議申立人の主張する申立理由４−２によっては，取り消すことができない。
　なお，上記で検討したように，本件訂正発明２と甲２発明との間に相違点が存在する以上，異議申立人の主張する申立理由４−１によっても，本件訂正発明２を取り消すことができないことは明らかである。
　（２）取消理由３−２（甲１２号証を主引用例とする進歩性違反について）
  ア　甲１２号証について
　（ア）本件優先日前に出願公開された甲１２号証（特開２００３−２５１９９０号公報）にはつぎの事項が記載されている。
　ａ　「【特許請求の範囲】【請求項１】ボールペンのキャップ（２）の枝（３）を延長して定規（４）を設けたキャップ式定規付きボールペン」
　ｂ　「【０００４】【課題を解決するための手段】ボールペン（１）のキャップ（２）の枝（３）を延長し目盛りを付けて定規を設けた。キャップをつまんで紙面に押さえるため定規につながる部分及び紙面に接触している部分は平らとする。本発明は以上の構成よりなるキャップ式定規付きボールペンである。キャップと一体になった定規で線を引けばいい。
【０００５】【発明の実施の形態】以下，本発明の実施の形態について説明する。ボールペン（１）のキャップ（２）の枝（３）を延長し定規（４）を設ける。
（イ）  ボールポン（１）からキャップ（２）をはずしそのキャップをつまみ，平らの部分を紙面に押さえる。
（ロ）  平らの枝（３）を延長した部分（４）が定規として機能する。
　本発明は以上のような構造で，これを使用する時は，ボールペンのキャップ（２）をはずし，キャップ（２）をつまんで平らな部分を紙面に押し当てキャップの枝（３）から延長した部分（４）を定規として使用すればいい。目盛りを付けると定規としての機能をより発揮出来る。」
　ｃ　図１　
　
　ｄ　図２
　ｅ　図３
　（イ）上記（ア）のａ及びｂの記載並びに図１ないし３によれば，甲１２号証には，
　「ボールペンのキャップの枝を延長し目盛りを付けて定規を設けたキャップ式定規付きボールペンであって，キャップの定規につながる部分及び定規の紙面に接触している部分平らとし，キャップの枝を延長し目盛りを付けた定規とされた部分の幅は，キャップの幅と略同じ幅としたボールペン」の発明（以下，「甲１２発明」という。）が記載されているものと認められる。
　なお，図１ないし３によれば，甲１２号証の「キャップの枝を延長し目盛りを付けて定規」とした部分は，長方形状であり，かつ，筆記具の重心位置を超えた部分まで伸びていることは明らかである。
　イ　本件訂正発明２について
　（ア）本件訂正発明２と甲１２発明との対比
　本件訂正発明２と甲１２発明とを対比すると，両者は「キャップと，該キャップが嵌合する軸筒とを具備し，前記キャップの側面に設けられ，軸線方向に延びる略長方形の板状部材であり，前記板状部材の幅と前記キャップの径とが略同一であり，前記板状部材が当該筆記具の重心位置まで伸びていることを特徴とする筆記具」である点で一致し，次の相違点で相違する。
＜相違点３−１＞
　本件訂正発明２の「キャップ」が「消去部材を備え」るものであるのに対して，甲１２発明は，消去部材を備えるものではない点
＜相違点３−２＞
　本件訂正発明２の「クリップ部」が，「接続部を介して一体的に」キャップの側面に設けられているのに対して，甲１２発明の「キャップの枝」はクリップ部とは特定されず，またキャップの側面に「キャップの枝」がどのように取り付けられるものであるのかが特定されない点。
＜相違点３−３＞
　本件訂正発明２は，「接続部がＴ字型の横断面形状を有」するのに対して，甲２発明は，そのように特定されない点
　（イ）判断
　ａ　相違点３−１について
　本件優先日前において，消去具を備えるボールペンは，既に周知のものであり（例えば，異議申立人の提出した甲１３号証等。以下，「周知技術３」という。），甲１２発明のキャップの頭部に消去部材を備えるものとすることは，当業者が容易に想到し得る程度のことというべきである。
　ｂ　相違点３−２について
　クリップ部を接続部を介してキャップ側面に設けるようにした構成は，甲２号証，甲３号証及び甲７号証等に記載されているように本件優先日前に周知の構造（以下，「周知技術４」という。）であり，上記（１）イ（イ）ｂで既に検討したとおり，「キャップとクリップを一体的に設ける」ことに格別の困難性はないから，甲１２発明の「キャップの枝」を，「接続部を介して一体的に」キャップの側面に設けるよう構成することに格別の困難性はない。
　しかしながら，甲１２発明の「キャップの枝」は，定規として用いるために形成されたものであり，当該「キャップの枝」がクリップの役目を果たすか否かは，甲１２号証の記載からは不明である。
　そして，甲１２発明の「キャップの枝」がキャップと筆記具の軸筒の長さの２／３程度まで伸びていることに照らせば，甲１２発明の「キャップの枝」がクリップとして使用することに支障が生じることは明らかである。
　してみると，甲１２発明の「キャップの枝」を「クリップ部」とすることには，阻害要因があるというべきであるから，相違点３−２に係る本件特許発明２の構成のようにすることは，当業者が容易になし得ることとはいえない。
　ｃ　相違点３−３について
　本件訂正発明２においては，「キャップの側面」に「クリップ部が接続部を介して一体的に設けられ」ており，「当該接続部がＴ字型の横断面形状を有している」ところ，甲２号証，甲３号証，甲５号証ないし甲１１号証及び甲１３号証（甲１号証は，上記１のとおり，本件優先日後に公開されたものであるから除外される。）には，キャップの側面にクリップ部を接続する接続部の断面形状がＴ字型であるものは記載も示唆もされていない。
　そして，当該構成により，クリップ部の周方向の力に対する強度が増すことにより，クリップ部に対して周方向の力が加わった場合であっても接続部の破損を防止するという作用効果を奏することに照らせば，当該構成が設計的事項であるということもできない。
　してみると，相違点３−３を当業者が容易に想到し得るものというとはできない。
（ウ）小括
　以上のとおりであるから，本件訂正発明２は，取消理由３−２によっては，取り消すことができない。
　（３）取消理由３−３（甲１３号証を主引用例とする進歩性欠如について）
　ア　各証拠について
　（ア）甲１３号証について
　異議申立人の提出した甲１３号証は，三菱鉛筆株式会社のホームページでアクセス可能なプレスリリースのウェブページ（https://www.mpuni.co.jp/ｎｅｗｓ/pressrelease/detail/20130326160559.html）であって，そこには，「プレスリリース詳細」，「キャップでこすると書いた文字を消せるゲルインクボールペン誕生！」，『uni-ball FANTHOM(ユニボール　ファントム）』，「２０１０年３月２３日新発売」との記載がされており，さらに，「■キャップで消せる　・・・キャップの先端でこすると細かい部分の色を消すことが出来ます。」との記載，「商品名:uni-ball　FANTHOM  （ユニボール　ファントム）」，「品名：UF-202-05」が写真とともに開示されているものと認められる。
　してみると，甲１３号証からは，「消去部材を備えたキャップと，該キャップが嵌合する軸筒とを具備し，前記キャップの側面にクリップ部が接続部を介して設けられ，前記クリップ部が軸線方向に延びる部材である筆記具」が，遅くとも本件優先日前に販売されていた事実を認めることができる。
　（イ）甲４号証について
　甲４号証は，異議申立人が作成した測定結果報告書であって，その３〜４頁の「２　測定結果」の（３）には，三菱鉛筆株式会社の「ユニボールファントム」の青，黒，赤について，キャップ中心軸を通る直線と，クリップのキャップ先端側端部とキャップ先端部曲面の接戦とを結んだ直線との交差角度を測定した結果，当該交差角度が，青４２．７６９度，黒４３．５６９度，赤４３．２９５度であることが記載されている。
　（ウ）甲４号証の「ユニボールファントム」は，いつ，どこで購入されたものかは明らかではないものの，甲１３号証の商品名と同じ商品名であることが認められ，キャップの形状も甲１３号証の写真と同じであるものと認められる。
　以上を総合すると，甲１３号証には，
　「消去部材を備えたキャップと，該キャップが嵌合する軸筒とを具備し，前記キャップの側面にクリップ部が接続部を介して設けられ，前記クリップ部が軸線方向に延びる部材であり，キャップ中心軸を通る直線と，クリップのキャップ先端側端部とキャップ先端部曲面の接戦とを結んだ直線との交差角度を測定した結果，当該交差角度が，４２．７６９度，４３．５６９度，又は４３．２９５度である筆記具」の発明（以下，「甲１３発明」という。）が記載されているものと認められる。
　イ　本件訂正発明１について
　（ア）本件訂正発明１と甲１３発明との対比
　本件訂正発明１と甲１３発明とを対比すると，両者は，「消去部材を備えたキャップと，該キャップが嵌合する軸筒とを具備し，前記キャップの側面にクリップ部が接続部を介して設けられ，前記クリップ部が軸線方向に延びる部材である筆記具」において一致し，次の相違点で相違する。
＜相違点４−１＞
　「キャップの側面」に「接続部を介して設けられた「クリップ部」に関して，本件訂正発明１は，「一体的に設けられ」ているのに対して，甲１３発明が一体的に設けられたものか否かが不明である点
＜相違点４−２＞
　本件訂正発明１の「クリップ」は，「軸線方向に伸びる略長方形の板状部材」であって，「前記クリップ部の幅と前記キャップの径とが略同一であり，前記クリップ部が当該筆記具の重心位置まで伸びて」いるのに対して，甲１３発明の「クリップ」は「軸線方向に伸びる板状部材」であるものの，「略長方形」であると特定されず，「クリップ」の幅はキャップの径より小さく，クリップが当該キャップに嵌合される筆記具の重心位置まで伸びているか否かが不明である点
＜相違点４−３＞
　本件特許発明１は「消去動作時に紙面と当該筆記具の中心軸線とが成す角度Ａが４０〜８０度の範囲となるように，前記クリップ部の前端面に平坦なガイド面が形成されている」のに対して，甲１３発明は「キャップ中心軸を通る直線と，クリップのキャップ先端側端部とキャップ先端部曲面の接戦とを結んだ直線との交差角度を測定した結果，当該交差角度が，４２．７６９度，４３．５６９度，又は４３．２９５度である」ことが特定される点。
＜相違点４−４＞
　本件訂正発明１は，「接続部がＴ字型の横断面形状を有」するのに対して，甲２発明は，そのように特定されない点
　（イ）判断
　ａ　相違点４−１について
　側面にクリップを備えるキャップを形成するにあたり，射出形成などにより，キャップにクリップを一体的に設けるようにすることは，例を挙げるまでもなく周知の手法であるから，甲１３発明において，キャップとクリップを一体的に設けることに格別の困難性はないから，上記相違点４−１は，当業者が適宜なし得る程度のことにすぎない。
　ｂ　相違点４−２について
　（ａ）本件訂正発明１の「クリップ部」は，「略長方形」であって，かつ，「前記クリップ部の幅と前記キャップの径とが略同一であり，前記クリップ部が当該筆記具の重心位置まで伸びて」いることが特定されるものであり，甲１３発明の「クリップ」の形状を，上記イ（イ）ｃ（ａ）で説示した周知技術１や周知技術２を適用して「筆記具の本体と略同一の幅を有する長方形の板状」とすることは，当業者が適宜なし得る程度のことにすぎない。
　しかしながら，これら周知技術を適用したとしても，甲１３発明において，「クリップ部」を「筆記具の重心位置まで伸ばす」ことまでは想到することはできない。
　そして，「クリップ部が当該筆記具の重心位置まで伸びている」構成が，周知であることを示す証拠もない。
　（ｂ）甲１２号証には，上記（２）ア（イ）で認定したように，「ボールペンのキャップの枝を延長し目盛りを付けて定規を設けたキャップ式定規付きボールペンであって，キャップの定規につながる部分及び定規の紙面に接触している部分を平らとし，キャップの枝を延長し目盛りを付けた定規とされた部分の幅は，キャップの幅と略同じ幅としたボールペン」の発明が記載されており，甲１２号証の「キャップの枝を延長し目盛りを付けて定規」とした部分は，長方形状であり，かつ，筆記具の重心位置を超えた部分まで伸びていることは明らかであると認められる。
　しかしながら，甲１２発明の「キャップの枝」は，定規として用いるために形成されたものであり，当該「キャップの枝」がクリップの役目を果たすか否かは，甲１２号証の記載からは不明である。また，甲１２発明の「キャップの枝」は，キャップと筆記具の軸筒の長さの２／３程度まで伸びており，甲２発明の板状のクリップをそのような長さとした場合には，クリップとしての使用に支障が生じることは明らかである。
　してみると，甲１３発明の「クリップ部」に甲１２発明の「キャップの枝」を適用することには，阻害要因があるというべきである。
　（ｃ）以上のとおりであるから，相違点４−２は，当業者が容易に想到し得るものということはできない。
　ｃ　相違点４−３について
　本件特許明細書の発明の詳細な説明の段落【００７４】及び本件特許図面の図３８に示されている角度Ａからみて，甲１３発明の「キャップ中心軸を通る直線と，クリップのキャップ先端側端部とキャップ先端部曲面の接戦とを結んだ直線との交差角度を測定した結果，当該交差角度」は，本件特許発明１の「角度Ａ」に対応する角度である。
　してみると，甲１３発明の「キャップ中心軸を通る直線と，クリップのキャップ先端側端部とキャップ先端部曲面の接戦とを結んだ直線との交差角度を測定した結果，当該交差角度が４２．７６９度，４３．５６９度，又は４３．２９５度である」であることは，本件訂正発明１の「消去動作時に紙面と当該筆記具の中心軸線とが成す角度Ａが４２．７６９度，４３．５６９度，又は４３．２９５度となるように，前記クリップ部の前端面にガイド面が形成されている」ことに相当するものといえる。
　しかしながら，甲１３発明には，「クリップの前端面に平坦なガイド面が形成されている」点については，開示されておらず，その点は，消去部を有する筆記具を開示する甲２号証及び甲３号証にも開示されていない。
　してみると，上記相違点４−３は，当業者が容易に想到し得るものということはできない。
　ｅ　相違点４−４について
　本件訂正発明１においては，「キャップの側面にクリップ部が接続部を介して一体的に設けられ」ており，「当該接続部がＴ字型の横断面形状を有している」ところ，甲２号証，甲３号証，及び甲５号証ないし甲１２号証（甲１号証は，上記１のとおり，本件優先日後に公開されたものであるから除外される。）には，キャップの側面にクリップ部を接続する接続部の断面形状がＴ字型であるものは記載も示唆もされていない。
　そして，当該構成により，クリップ部の周方向の力に対する強度が増すことにより，クリップ部に対して周方向の力が加わった場合であっても接続部の破損を防止するという作用効果を奏することに照らせば，当該構成が設計的事項であるということもできない。
　してみると，相違点４−４は，当業者が容易に想到し得るものということはできない。
　（ウ）小括
　以上のとおり，本件訂正発明１は，取消理由３−３，すなわち，申立理由６−２によっては，取り消すことができない。
　なお，上記で検討したように，本件訂正発明１と甲１３発明との間に相違点が存在する以上，異議申立人の主張する申立理由６−１によっても，本件訂正発明１を取り消すことができないことは明らかである。
　ウ　本件訂正発明２について （取消理由では，取消理由３−３は本件訂正発明２に対して通知されていないが，異議申立人が申立理由６−１及び６−２として，本件訂正発明２についても取消の理由として主張していることから，本件訂正発明２についても検討する。）
　本件訂正発明２と甲１３発明とを対比すると，両者は，「消去部材を備えたキャップと，該キャップが嵌合する軸筒とを具備し，前記キャップの側面にクリップ部が接続部を介して設けられ，前記クリップ部が軸線方向に延びる部材である筆記具」において一致し，次の相違点で相違する。
＜相違点５−１＞
　「キャップの側面」に「接続部を介して設けられた「クリップ部」に関して，本件訂正発明２は，「一体的に設けられ」ているのに対して，甲１３発明が一体的に設けられたものか否かが不明である点
＜相違点５−２＞
　本件訂正発明２の「クリップ」は，　「軸線方向に伸びる略長方形の板状部材」であって，「前記クリップ部の幅と前記キャップの径とが略同一であり，前記クリップ部が当該筆記具の重心位置まで伸びて」いるのに対して，甲１３発明の「クリップ」は「軸線方向に伸びる板状部材」であるものの，「略長方形」であると特定されず，「クリップ」の幅はキャップの径より小さく，クリップが当該キャップに嵌合される筆記具の重心位置まで伸びているか否かが不明である点
＜相違点５−３＞
　本件訂正発明２は，「接続部がＴ字型の横断面形状を有」するのに対して，甲１３発明は，そのように特定されない点
　（イ）判断
　ａ　相違点５−１について
　側面にクリップを備えるキャップを形成するにあたり，射出形成などにより，キャップにクリップを一体的に設けるようにすることは，例を挙げるまでもなく周知の手法であるから，甲１３発明において，キャップとクリップを一体的に設けることに格別の困難性はないから，上記相違点５−１は，当業者が適宜なし得る程度のことにすぎない。
　ｂ　相違点５−２について
　（ａ）本件訂正発明２の「クリップ部」は，「略長方形」であって，かつ，「前記クリップ部の幅と前記キャップの径とが略同一であり，前記クリップ部が当該筆記具の重心位置まで伸びて」いることが特定されるものであり，甲１３発明の「クリップ」の形状を，上記イ（イ）ｃ（ａ）で説示した周知技術１や周知技術２を適用して「筆記具の本体と略同一の幅を有する長方形の板状」とすることは，当業者が適宜なし得る程度のことにすぎない。
　しかしながら，これら周知技術を適用したとしても，甲１３発明において，「クリップ部」を「筆記具の重心位置まで伸ばす」ことまでは想到することはできない。
　そして，「クリップ部が当該筆記具の重心位置まで伸びている」構成が，周知であることを示す証拠もない。
　（ｂ）甲１２号証には，上記（２）ア（イ）で認定したように，「ボールペンのキャップの枝を延長し目盛りを付けて定規を設けたキャップ式定規付きボールペンであって，キャップの定規につながる部分及び定規の紙面に接触している部分を平らとし，キャップの枝を延長し目盛りを付けた定規とされた部分の幅は，キャップの幅と略同じ幅としたボールペン」の発明が記載されており，甲１２号証の「キャップの枝を延長し目盛りを付けて定規」とした部分は，長方形状であり，かつ，筆記具の重心位置を超えた部分まで伸びていることは明らかであると認められる。
　しかしながら，甲１２発明の「キャップの枝」は，定規として用いるために形成されたものであり，当該「キャップの枝」がクリップの役目を果たすか否かは，甲１２号証の記載からは不明である。また，甲１２発明の「キャップの枝」は，キャップと筆記具の軸筒の長さの２／３程度まで伸びており，甲２発明の板状のクリップをそのような長さとした場合には，クリップとしての使用に支障が生じることは明らかである。
　してみると，甲１３発明の「クリップ部」に甲１２発明の「キャップの枝」を適用することには，阻害要因があるというべきである。
　（ｃ）以上のとおりであるから，相違点５−２は，当業者が容易に想到し得るものということはできない。
　ｃ　相違点５−３について
　本件訂正発明２においては，「キャップの側面にクリップ部が接続部を介して一体的に設けられ」ており，「当該接続部がＴ字型の横断面形状を有している」ところ，甲２号証，甲３号証，及び甲５号証ないし甲１２号証（甲１号証は，上記１のとおり，本件優先日後に公開されたものであるから除外される。）には，キャップの側面にクリップ部を接続する接続部の断面形状がＴ字型であるものは記載も示唆もされていない。
　そして，当該構成により，クリップ部の周方向の力に対する強度が増すことにより，クリップ部に対して周方向の力が加わった場合であっても接続部の破損を防止するという作用効果を奏することに照らせば，当該構成が設計的事項であるということもできない。
　してみると，相違点５−３を当業者が容易に想到し得るものということはできない。
　（ウ）小括
　以上のとおり，本件訂正発明２は，申立理由６−２によっては，取り消すことができない。
　なお，上記で検討したように，本件訂正発明２と甲１３発明との間に相違点が存在する以上，異議申立人の主張する申立理由６−１によっても，本件訂正発明２を取り消すことができないことは明らかである。
  ５　申立理由３（甲第１号証を主引用例とする新規性違反について）　
　上記１で検討したとおり，本件特許に係る出願の出願日は，平成２４年５月３０日とみなされることとなり，その結果，本件優先日も平成２３年１２月９日であると認める。
　してみると，本件出願の出願日を平成２８年１１月３０日であることを前提とする異議申立人が主張する申立理由３は，主引用例としている甲１号証は，本件優先日より後に出願公開がされたものであることになるから，詳細に検討するまでもなく，申立理由３によっては，本件特許の請求項１及び２に係る特許を取り消すことができないことは明らかである。
　６　申立理由５−１及び５−２について（甲３号証を主引用例とする新規性・進歩性違反）
　申立理由５−１及び５−２は，本件訂正発明１及び２が，甲３号証に記載された発明であること，及び甲３号証並びに甲１ないし１２号証に基づいて当業者が容易に発明をすることができた旨主張するものである。
　しかしながら，上記４（１）イ（イ）ｅ，同（１）ウ（イ）ｄ，同（２）イ（イ）ｃ，同（３）イ（イ）ｅ及び同（３）ウ（イ）ｃにおいて検討したことから明らかなように，本件訂正発明１及び２の発明特定事項である「キャップの側面にクリップ部が接続部を介して一体的に設けられ」ており，当該「接続部がＴ字型の横断面形状を有」している構成は，甲３号証には記載されておらず，少なくとも本件訂正発明１及び２と甲３号証記載の発明（以下，「甲３発明」という。）とは，本件訂正発明１及び２が，「キャップの側面にクリップ部が接続部を介して一体的に設けられ」ており，当該「接続部がＴ字型の横断面形状を有」しているのに対して，甲３発明がそのように特定されない点で相違する。
　そして，「キャップの側面にクリップ部が接続部を介して一体的に設けられ」ており，当該「接続部がＴ字型の横断面形状を有」している点については，甲２号証，及び甲５号証ないし甲１３号証（甲１号証は，上記１のとおり，本件優先日後に公開されたものであるから除外される。）には記載も示唆もない。
　そして，当該構成により，クリップ部の周方向の力に対する強度が増すことにより，クリップ部に対して周方向の力が加わった場合であっても接続部の破損を防止するという作用効果を奏することに照らせば，当該構成が設計的事項であるということもできない。
　してみると，当該相違点を容易に想到し得るものということはできないから，本件特許の請求項１及び２に係る特許は，申立理由５−１及び５−２によっては，取り消すことができない。
第５　まとめ
　以上のとおりであるから，特許第６３９２２９８号の特許請求の範囲を，本件訂正請求書に添付された訂正特許請求の範囲のとおり，請求項１，２について訂正することを認める。
　本件特許の訂正請求書による取消理由通知に記載した取消理由及び特許異議申立書に記載された特許異議申立理由によって，は本件特許の請求項１及び２に係る特許を取り消すことはできない。
　また，他に本件特許の請求項１及び２に係る特許を取り消すべき理由を発見しない。
　よって，上記結論のとおり決定する。
【異議決定日】
令和１年１０月２９日（２０１９．１０．２９）
【訂正の要旨】
審決（決定）の【理由】欄参照。
（５７）【特許請求の範囲】
　【請求項１】
　消去部材を備えたキャップと、該キャップが嵌合する軸筒とを具備し、
　前記キャップの側面にクリップ部が接続部を介して一体的に設けられ、
　前記クリップ部が軸線方向に延びる略長方形の板状部材であり、
　
前記クリップ部の幅と前記キャップの径とが略同一であり、前記クリップ部が当該筆記具の重心位置まで伸びており、
　消去動作時に紙面と当該筆記具の中心軸線とが成す角度Ａが４０〜８０度の範囲となるように、前記クリップ部の前端面に
平坦な
　
前記接続部がＴ字型の横断面形状を有し
　【請求項２】
　消去部材を備えたキャップと、該キャップが嵌合する軸筒とを具備し、
　前記キャップの側面にクリップ部が接続部を介して一体的に設けられ、
　前記クリップ部が軸線方向に延びる略長方形の板状部材であり、
　前記クリップ部の幅と前記キャップの径とが略同一であり、前記クリップ部が当該筆記具の重心位置まで伸びて
おり、
　
前記接続部がＴ字型の横断面形状を有して